【手続補正書】
【提出日】令和2年8月26日(2020.8.26)
【手続補正１】
【補正対象書類名】特許請求の範囲
【補正対象項目名】全文
【補正方法】変更
【補正の内容】
【特許請求の範囲】
【請求項１】
固体燃料組成物を製造する方法であって、
５重量％〜６０重量％の混合プラスチックを含む固形廃棄物混合物を、処理容器内で１１０℃を超えない温度まで加熱し、前記固形廃棄物混合物を、２重量％未満の水を含む乾燥固形廃棄物混合物と気化化合物とに分離する工程、
前記処理容器から前記気化化合物を除去する工程、
前記乾燥固形廃棄物混合物を前記処理容器内で少なくとも１６０℃かつ大気圧未満で加熱混合して、溶融混合プラスチックを含む加熱固形廃棄物混合物を形成する工程、
前記加熱固形廃棄物混合物を２００℃未満で押出して押出固形廃棄物混合物を製造する工程、及び
前記押出固形廃棄物混合物を６５℃未満まで冷却して、少なくとも１８，６００Ｊ／ｇ（８，０００ＢＴＵ／ｌｂ）のエネルギー含量を有する固体燃料組成物を形成する工程を含む方法。
【請求項２】
前記固形廃棄物混合物は、都市固形廃棄物及び農業廃棄物を含む、請求項１に記載の方法。
【請求項３】
前記固形廃棄物混合物を不燃性固形廃棄物について分析し、存在する場合には不燃性固形廃棄物を除去する工程をさらに含む、請求項２に記載の方法。
【請求項４】
前記固形廃棄物混合物は不燃性金属廃棄物を含まない、請求項３に記載の方法。
【請求項５】
前記固形廃棄物混合物を混合プラスチック成分について分析し、必要であれば、前記固形廃棄物混合物中の混合プラスチックの量を５重量％〜６０重量％に調整する工程をさらに含む、請求項２に記載の方法。
【請求項６】
前記混合プラスチックは、ポリエステル、ポリエチレンテレフタレート、ポリエチレン、ポリ塩化ビニル、ポリ塩化ビニリデン、ポリプロピレン、ポリスチレン、ポリアミド、アクリロニトリルブタジエンスチレン、ポリエチレン／アクリロニトリルブタジエンスチレン、ポリカーボネート、ポリカーボネート／アクリロニトリルブタジエンスチレン、ポリウレタン、マレイミド／ビスマレイミド、メラミンホルムアルデヒド、フェノールホルムアルデヒド、ポリエポキシド、ポリエーテルエーテルケトン、ポリエーテルイミド、ポリイミド、ポリ乳酸、ポリメチルメタクリレート、ポリテトラフルオロエチレン、及び尿素−ホルムアルデヒドからなる群から選択される１種以上のプラスチックを含む、請求項１に記載の方法。
【請求項７】
前記混合プラスチックは、ポリ塩化ビニル、ポリ塩化ビニリデン、及びそれらの組合せを含み、前記乾燥固形廃棄物混合物は少なくとも１９０℃に加熱される、請求項６に記載の方法。
【請求項８】
前記固形廃棄物混合物は５重量％〜３５重量％の混合プラスチックを含む、請求項１に記載の方法。
【請求項９】
前記固体燃料組成物は、
４０重量％〜８０重量％の炭素、
５重量％〜２０重量％の水素、
５重量％〜２０重量％の酸素、
２重量％未満の硫黄、及び
２重量％未満の塩素
を含む、請求項１に記載の方法。
【請求項１０】
前記処理容器は、少なくとも１９０℃の壁温度に維持された１つ以上の加熱壁、前記処理容器の内部容積内にあり、前記処理容器に動作可能に接続されたミキサー、前記処理容器内の第１の開口部を通る押出要素、及び前記処理容器内の第２の開口部を通る真空ポートを含み、前記処理容器は前記真空ポートを介して真空ポンプを含む真空システムに取り付けられている、請求項１に記載の方法。
【請求項１１】
前記真空システムは、上部ポート、前記上部ポートの下方の下部ポート、前記下部ポートの下方の凝縮水溜め、及び前記凝縮水溜め内の排水路を有する凝縮器を備え、前記凝縮器は、前記凝縮器の上部ポートを介して前記処理容器の真空ポートに動作可能に結合されているとともに、前記凝縮器の下部ポートを介して前記真空ポンプに動作可能に結合されている、請求項１０に記載の方法。
【請求項１２】
前記真空ポンプは前記真空ポートを介して前記気化化合物を除去し、前記気化化合物は水蒸気、揮発性有機化合物、塩素化有機化合物、塩素ガス、及びそれらの任意の組合せを含む、請求項１１に記載の方法。
【請求項１３】
前記固形廃棄物混合物を前記処理容器に導入する前に、前記固形廃棄物混合物を５ｃｍ（２インチ）の最大寸法又は最大直径を有する小片に細断する工程をさらに含む、請求項１に記載の方法。
【請求項１４】
固体燃料組成物を製造する方法であって、
５重量％〜６０重量％の量の混合プラスチックを含む固形廃棄物混合物を、１９０℃〜２６０℃の温度を提供する処理容器であって、前記処理容器に動作可能に接続されたミキサー、前記処理容器内の第１の開口部を通る押出要素、及び前記処理容器内の第２の開口部を通る真空ポートを備える処理容器に供給する工程、
前記固形廃棄物混合物を前記処理容器内で９０℃〜１１０℃の温度に加熱し、前記固形廃棄物混合物を乾燥固形廃棄物混合物と、水蒸気、揮発性有機化合物、塩素化有機化合物、塩素ガス、及びそれらの任意の組合せを含む気化化合物とに分離する工程、
前記真空ポートに取り付けられた真空システムを用いて前記処理容器内の圧力を６６７０Ｐａ（５０ｔｏｒｒ）未満に減圧することによって、前記処理容器から前記気化化合物を除去する工程、
前記乾燥固形廃棄物混合物を前記処理容器内で１９０℃〜２６０℃及び６６７０Ｐａ（５０ｔｏｒｒ）未満で加熱混合して溶融混合プラスチックを含む加熱固形廃棄物混合物を形成する工程、
前記加熱固形廃棄物混合物を、２００℃未満の温度で、押出口を用いて前記処理容器から押出して押出固形廃棄物混合物を製造する工程、及び
前記押出固形廃棄物混合物を６５℃未満に冷却して、少なくとも１８，６００Ｊ／ｇ（８，０００ＢＴＵ／ｌｂ）のエネルギー含量を有する固体燃料組成物を形成する工程を含む方法。
【請求項１５】
前記固形廃棄物混合物は、都市固形廃棄物及び農業廃棄物を含む、請求項１４に記載の方法。
【請求項１６】
前記混合プラスチックは、ポリエステル、ポリエチレンテレフタレート、ポリエチレン、ポリ塩化ビニル、ポリ塩化ビニリデン、ポリプロピレン、ポリスチレン、ポリアミド、アクリロニトリルブタジエンスチレン、ポリエチレン／アクリロニトリルブタジエンスチレン、ポリカーボネート、ポリカーボネート／アクリロニトリルブタジエンスチレン、ポリウレタン、マレイミド／ビスマレイミド、メラミンホルムアルデヒド、フェノールホルムアルデヒド、ポリエポキシド、ポリエーテルエーテルケトン、ポリエーテルイミド、ポリイミド、ポリ乳酸、ポリメチルメタクリレート、ポリテトラフルオロエチレン、及び尿素−ホルムアルデヒドからなる群から選択される１種以上のプラスチックを含む、請求項１４に記載の方法。
【請求項１７】
前記固形廃棄物混合物は、１つ以上の加熱壁からの熱の伝達により、前記固形廃棄物混合物が壁温度よりも３０℃未満低い温度に達するまで加熱される、請求項１４に記載の方法。
【請求項１８】
前記固形廃棄物混合物を前記処理容器に導入する前に、前記固形廃棄物混合物を５ｃｍ（２インチ）の最大寸法又は最大直径を有する小片に細断する工程をさらに含む、請求項１４に記載の方法。
【請求項１９】
前記処理容器から除去された気化化合物を凝縮させて、揮発性有機化合物、塩素化有機化合物、塩素ガス、及びそれらの任意の組合せからなる群から選択される１種以上の化合物を含む廃水を生成する工程をさらに含む、請求項１４に記載の方法。
【請求項２０】
前記廃水から前記１種以上の化合物を除去して処理済み廃水を生成する工程をさらに含む、請求項１９に記載の方法。
【請求項２１】
前記加熱固形廃棄物混合物内で混合プラスチックを軟化させ分散させるために、壁温度は２８０℃に維持され、前記乾燥固形廃棄物混合物は２５０℃に加熱される、請求項１９に記載の方法。
【請求項２２】
前記１つ以上の加熱壁の壁温度を監視し、監視された壁温度を用いて、前記１つ以上の加熱壁に動作可能に結合されたヒータの動作を調節し、前記１つ以上の加熱壁を所望の壁温度に自動的に維持する工程をさらに含む、請求項１４に記載の方法。
【請求項２３】
前記処理容器内のヘッドスペース容積内のヘッドスペース圧力を監視する工程と、監視されたヘッドスペース圧力を用いて前記処理容器内の減圧を自動的に維持するために前記真空システムの動作を調節する工程とをさらに含む、請求項１４に記載の方法。
【請求項２４】
前記固形廃棄物混合物が水蒸気を放出するのに十分に加熱されているかを決定するために、前記処理容器から除去された気化化合物内の水分含量を監視する工程をさらに含む、請求項１４に記載の方法。
【請求項２５】
前記処理容器からの前記加熱固形廃棄物混合物の押出の準備ができているかを決定するために、前記処理容器内の前記加熱固形廃棄物混合物内の混合物温度を監視する工程をさらに含む、請求項１４に記載の方法。
【請求項２６】
前記気化化合物が前記固形廃棄物混合物から除去されたかを決定するために、前記処理容器内の固形廃棄物混合物の重量を監視する工程をさらに含む、請求項１４に記載の方法。
【請求項２７】
前記乾燥固形廃棄物混合物は、０．５時間〜２時間の範囲の所定の時間、加熱混合される、請求項１４に記載の方法。
【請求項２８】
冷却中に押出された混合物を小片に切断する工程をさらに含む、請求項１４に記載の方法。
【請求項２９】
前記固体燃料組成物は、
４０重量％〜８０重量％の炭素；
５重量％〜２０重量％の水素；
５重量％〜２０重量％の酸素；
２重量％未満の硫黄；及び
２重量％未満の塩素
を含む、請求項１４に記載の方法。
【請求項３０】
前記固形廃棄物混合物中の混合プラスチックの量の調整を決定するために、前記固形廃棄物混合物を混合プラスチック成分について分析することをさらに含む、請求項１４に記載の方法。
【請求項３１】
処理容器内で、固形廃棄物混合物の５重量％〜６０重量％の量の１種以上のプラスチックを含む固形廃棄物混合物を加熱する工程、
前記固形廃棄物混合物から気化化合物を分離する工程、
前記処理容器内で、前記固形廃棄物混合物の前記１種以上のプラスチックを溶融させる工程であって、前記固形廃棄物混合物は２重量％未満の水を含むものである工程、
前記固形廃棄物混合物の少なくとも一部を押出して押出生成物を製造する工程、及び
前記押出生成物を冷却して、少なくとも１８，６００Ｊ／ｇ（８，０００ＢＴＵ／ｌｂ）のエネルギー含量を有する固体燃料組成物を形成する工程を含む方法。